(57)【要約】      （修正有）【課題】検出光投光器及び検出光受光器の位置決めをより正確に実施することができるエレベータのドア安全装置を得る。【解決手段】検出光投光器８は、かご出入口１を横切るように非可視光である複数の検出光７を出射する。検出光７は、検出光受光器９により受光される。検出光投光器８及び検出光受光器９の組み合わせにより、多光軸センサが構成されている。検出光投光器８には、検出光投光器８及び検出光受光器９の位置決めをするためのビーム状の可視レーザ光１０を検出光受光器９に対して投光する複数のレーザ投光部１１が設けられている。【選択図】図１
2006327707.tif 000002
【特許請求の範囲】
【請求項１】
エレベータの出入口近傍に設けられ、上記出入口を横切るように非可視光である検出光を出射する検出光投光器、
上記検出光投光器から出射された検出光を受光する検出光受光器、及び
上記検出光投光器及び上記検出光受光器のいずれか一方に設けられ、上記検出光投光器及び上記検出光受光器の他方に対して上記検出光投光器及び上記検出光受光器の位置決めをするための可視レーザ光を投光するレーザ投光部
を備えていることを特徴とするエレベータのドア安全装置。
【請求項２】
上記レーザ投光部からの可視レーザ光の投光は、上記検出光投光器からの検出光の投光から独立して制御可能であることを特徴とする請求項１記載のエレベータのドア安全装置。
【請求項３】
上記レーザ投光部は、上記検出光投光器に対して着脱可能であることを特徴とする請求項１又は請求項２に記載のエレベータのドア安全装置。
【発明の詳細な説明】
【技術分野】
【０００１】
この発明は、かごや乗場の出入口を横切るように出射された検出光が遮られるかどうかを監視するタイプのエレベータのドア安全装置に関するものである。
【背景技術】
【０００２】
従来のエレベータのドア安全装置では、出入口を挟んで投光部及び受光部が互いに対向するように配置されている。そして、投光部から出射された光線が遮断されると、それが受光部により検出され、ドアの閉動作が阻止される。また、投光部及び受光部の位置決めのため、投光部には、受光部に設けられた目印に可視光線を照射する可視光投光部が設けられている（例えば、特許文献１参照）。
【０００３】
【特許文献１】特開２００３−１１８９５８号公報
【発明の開示】
【発明が解決しようとする課題】
【０００４】
しかし、一般的な可視光の光軸は進行に従って広がるため、従来のドア安全装置では、投光部及び受光部の位置決めを正確に実施することは難しい。
【０００５】
この発明は、上記のような課題を解決するためになされたものであり、検出光投光器及び検出光受光器の位置決めをより正確に実施することができるエレベータのドア安全装置を得ることを目的とする。
【課題を解決するための手段】
【０００６】
この発明に係るエレベータのドア安全装置は、エレベータの出入口近傍に設けられ、出入口を横切るように非可視光である検出光を出射する検出光投光器、検出光投光器から出射された検出光を受光する検出光受光器、及び検出光投光器及び検出光受光器のいずれか一方に設けられ、検出光投光器及び検出光受光器の他方に対して検出光投光器及び検出光受光器の位置決めをするための可視レーザ光を投光するレーザ投光部を備えている。
【発明の効果】
【０００７】
この発明のエレベータのドア安全装置は、レーザ投光部から投光される可視レーザ光により検出光投光器及び検出光受光器の位置決めを行うので、検出光投光器及び検出光受光器の位置決めをより正確に実施することができる。
【発明を実施するための最良の形態】
【０００８】
以下、この発明を実施するための最良の形態について、図面を参照して説明する。
実施の形態１．
図１はこの発明の実施の形態１によるエレベータのドア安全装置を示す構成図、図２は図１のドア安全装置を示す平面図である。図において、かご出入口１は、一対のかごドア２により開閉される。かご出入口１の側部及び上部には、かご出入口枠３が設けられている。乗場出入口４は、一対の乗場ドア５により開閉される。乗場出入口４の側部及び上部には、乗場出入口枠（三方枠）６が設けられている。
【０００９】
かご室の外部には、かご出入口１を横切るように非可視光である複数の検出光７を出射する検出光投光器８が設けられている。検出光７は、かごドア２とかご出入口枠３との間の隙間を通してかごドア２の表面と平行に投光される。また、かご室の外部には、検出光投光器８から出射された検出光７を受光する検出光受光器９が設けられている。検出光投光器８及び検出光受光器９は、互いに対向するように配置されている。
【００１０】
検出光投光器８には、検出光７を出射する複数の検出光出射部８ａが設けられている。検出光出射部８ａは、上下方向に互いに等間隔をおいて整列されている。検出光受光器９には、検出光７を受光する複数の検出光入射部９ａが設けられている。検出光入射部９ａは、検出光出射部８ａに１：１で対応しており、上下方向に互いに等間隔をおいて整列されている。即ち、検出光投光器８及び検出光受光器９の組み合わせにより、多光軸センサが構成されている。
【００１１】
また、検出光投光器８には、検出光投光器８及び検出光受光器９の位置決めをするためのビーム状の可視レーザ光１０を検出光受光器９に対して投光する複数のレーザ投光部１１が設けられている。この例では、レーザ投光部１１は、検出光出射部８ａの列の上下に１個ずつ配置されている。検出光受光器９には、可視レーザ光１０の適正な照射位置を示すマーク等の目印（図示せず）が設けられている。レーザ投光部１１からの可視レーザ光１０は、クラス２（ＪＩＳ：Ｃ６８０２）とするのが好適である。
【００１２】
この例では、図２に示すように、検出光投光器８及び検出光受光器９が乗場側にも設けられている。乗場側の検出光投光器８は、乗場ドア５と乗場出入口枠６との間の隙間を通して乗場ドア５の表面と平行に検出光７を投光する。乗場側の検出光投光器８及び検出光受光器９の構造は、かご側と同様である。そして、乗場側の検出光投光器８にもレーザ投光部１１が設けられている。
【００１３】
かごドア２及び乗場ドア５の開閉は、制御部１２により制御される。制御部１２は、検出光投光器８を制御するとともに、検出光受光器９からの情報に応じてかごドア２及び乗場ドア５の開閉動作を制御する。また、制御部１２は、レーザ投光部１１からの可視レーザ光１０の投光を、検出光投光器８からの検出光７の投光とは独立して制御する。
【００１４】
また、制御部１２は、かごドア２及び乗場ドア５の開閉時に検出光投光器８から検出光７を投光させるとともに、検出光受光器９により検出光７が受光されるかどうかを監視し、検出光７が受光されない場合には、検出光７の光軸上に障害物が存在すると判断する。戸閉動作中に障害物が検出されると、制御部１２は、ドア２，５を反転戸開させる。また、戸開開始時及び戸開中に障害物が検出されると、制御部１２は、警報の発報やドア２，５の戸開の一時的な中止等の制御を行う。
【００１５】
このようなドア安全装置では、レーザ投光部１１から出射された可視レーザ光１０のレーザビームスポットを視認することにより、検出光投光器８からの検出光７の光軸が正確な位置に到達しているかどうかを容易に確認することができ、芯ずれ調整等の位置調整を容易に実施することができる。即ち、検出光投光器８及び検出光受光器９の位置決めをより正確に実施することができる。
【００１６】
また、レーザ投光部１１からの可視レーザ光１０の投光は独立して制御可能であるため、据付調整時のみ可視レーザ光１０を投光し、エレベータの通常利用時には検出光７のみ投光し可視レーザ光１０の投光は停止することができ、安全性を向上させることができる。
【００１７】
実施の形態２．
次に、図３はこの発明の実施の形態２によるエレベータのドア安全装置を示す構成図である。この例では、各レーザ投光部１１は、検出光投光器８に着脱可能な取付部材２１に取り付けられている。即ち、レーザ投光部１１は、検出光投光器８に対して着脱可能である。他の構成は、実施の形態１と同様である。
【００１８】
このようなドア安全装置では、レーザ投光部１１を据付調整時のみ検出光投光器８に取り付けることができ、検出光投光器８自体には、レーザ投光部１１を設ける必要がない。従って、既設のドア安全装置に容易に適用することができるとともに、コストアップを抑えることができる。
【００１９】
なお、上記の例では、乗場側及びかご側の両方にドア安全装置を設置したが、いずれか一方のみに設置する場合にもこの発明は適用できる。
また、上記の例では、検出光投光器８にレーザ投光部１１を設けたが、検出光受光器９側に設けてもよい。
さらに、上記の例では、検出光投光器８と検出光受光器９とを互いに対向するように配置したが、例えば検出光７や可視レーザ光１０の光路をミラー等で屈曲させてもよく、検出光投光器８及び検出光受光器９は必ずしも互いに対向させなくてもよい。
さらにまた、レーザ投光部１１の数や位置は上記の例に限定されるものではない。例えば、上下方向に互いに間隔をおいて３個以上のレーザ投光部を配置してもよい。また、出入口枠とドアとの間の隙間寸法に比べて十分に小さいビーム径の可視レーザ光を投光する複数の複数のレーザ投光部を、隙間の範囲内で隙間の幅方向に互いに間隔をおいて配置してもよい。
【図面の簡単な説明】
【００２０】
【図１】この発明の実施の形態１によるエレベータのドア安全装置を示す構成図である。
【図２】図１のドア安全装置を示す平面図である。
【図３】この発明の実施の形態２によるエレベータのドア安全装置を示す構成図である。
【符号の説明】
【００２１】
１  かご出入口、４  乗場出入口、７  検出光、８  検出光投光器、９  検出光受光器、１０  可視レーザ光、１１  レーザ投光部。
【図１】
2006327707.tif 000003
【図２】
2006327707.tif 000004
【図３】
2006327707.tif 000005